(57)【特許請求の範囲】
【請求項１】
空間的に分割された複数のチャネルを介してパス多重接続している複数の移動端末装置との間で信号を送受信する無線基地システムであって、
前記複数の移動端末装置のいずれかとのパス多重接続が切断されたときに当該切断されたチャネルを介して信号フレームごとに切り戻り用同期バーストを送信する同期バースト送信手段（７）と、
第１の複数の連続するフレームにおいて前記切り戻り用同期バーストの送信レベルを第２の複数の連続するフレームにおける前記切り戻り用同期バーストの送信レベルに比べて相対的に大きなレベルに設定し、第２の複数の連続するフレームにおいて前記切り戻り用同期バーストの送信レベルを第１の複数の連続するフレームにおける前記切り戻り用同期バーストの送信レベルに比べて相対的に小さなレベルに設定し、前記第１の複数の連続するフレームおよび前記第２の複数の連続するフレームを交互に配するフレーム周期で送信レベルの設定を周期的に繰返す同期バースト送信レベル設定手段（７）とを備えた、無線基地システム。
【請求項２】
前記同期バースト送信手段は、パス多重接続が切断された移動端末装置が複数存在するとき、前記フレーム周期で送信レベルが設定された切り戻り用同期バーストをそれぞれの移動端末装置ごとに時分割的に送信する、請求項１に記載の無線基地システム。
【請求項３】
前記相対的に小さなレベルは０レベルである、請求項１に記載の無線基地システム。
【請求項４】
前記同期バースト送信手段が前記切り戻り用同期バーストを送信している期間中、前記複数の移動端末装置の他の移動端末装置に対する送信レベルを低下させる送信レベル変更手段をさらに備える、請求項１に記載の無線基地システム。
【請求項５】
空間的に分割された複数のチャネルを介してパス多重接続している複数の移動端末装置との間で信号を送受信する無線基地システムにおける同期バースト送信制御方法であって、 前記複数の移動端末装置のいずれかとのパス多重接続が切断されたときに当該切断されたチャネルを介して信号フレームごとに切り戻り用同期バーストを送信するステップと、
第１の複数の連続するフレームにおいて前記切り戻り用同期バーストの送信レベルを第２の複数の連続するフレームにおける前記切り戻り用同期バーストの送信レベルに比べて相対的に大きなレベルに設定し、第２の複数の連続するフレームにおいて前記切り戻り用同期バーストの送信レベルを第１の複数の連続するフレームにおける前記切り戻り用同期バーストの送信レベルに比べて相対的に小さなレベルに設定し、前記第１の複数の連続するフレームおよび前記第２の複数の連続するフレームを交互に配するフレーム周期で送信レベルの設定を周期的に繰返すステップとを備えた、方法。
【請求項６】
前記同期バーストを送信するステップは、パス多重接続が切断された移動端末装置が複数存在するとき、前記フレーム周期で送信レベルが設定された切り戻り用同期バーストをそれぞれの移動端末装置ごとに時分割的に送信する、請求項５に記載の方法。
【請求項７】
前記相対的に小さなレベルは０レベルである、請求項５に記載の方法。
【請求項８】
前記切り戻り用同期バーストを送信している期間中、前記複数の移動端末装置の他の移動端末装置に対する送信レベルを低下させるステップをさらに備えた、請求項５に記載の方法。
【請求項９】
空間的に分割された複数のチャネルを介してパス多重接続している複数の移動端末装置との間で信号を送受信する無線基地システムにおける同期バースト送信制御プログラムであって、コンピュータに、
前記複数の移動端末装置のいずれかとのパス多重接続が切断されたときに当該切断されたチャネルを介して信号フレームごとに切り戻り用同期バーストを送信するステップと、
第１の複数の連続するフレームにおいて前記切り戻り用同期バーストの送信レベルを第２の複数の連続するフレームにおける前記切り戻り用同期バーストの送信レベルに比べて相対的に大きなレベルに設定し、第２の複数の連続するフレームにおいて前記切り戻り用同期バーストの送信レベルを第１の複数の連続するフレームにおける前記切り戻り用同期バーストの送信レベルに比べて相対的に小さなレベルに設定し、前記第１の複数の連続するフレームおよび前記第２の複数の連続するフレームを交互に配するフレーム周期で送信レベルの設定を周期的に繰返すステップとを実行させる、プログラム。
【請求項１０】
前記同期バーストを送信するステップは、パス多重接続が切断された移動端末装置が複数存在するとき、前記フレーム周期で送信レベルが設定された切り戻り用同期バーストをそれぞれの移動端末装置ごとに時分割的に送信する、請求項９に記載のプログラム。
【請求項１１】
前記相対的に小さなレベルは０レベルである、請求項９に記載のプログラム。
【請求項１２】
前記切り戻り用同期バーストを送信している期間中、前記複数の移動端末装置の他の移動端末装置に対する送信レベルを低下させるステップをさらに備えた、請求項９に記載のプログラム。
【発明の詳細な説明】
技術分野
この発明は無線基地システム、同期バーストの送信制御方法および送信制御プログラムに関し、特に、複数のユーザが同一周波数における１つのタイムスロットを空間多重（パス多重）してデータを送受信することができるＰＤＭＡ（Ｐａｔｈ  Ｄｉｖｉｓｉｏｎ  Ｍｕｌｔｉｐｌｅ  Ａｃｃｅｓｓ）方式の通信システムにおいて、信号の受信が絶えたユーザ端末に対し切り戻り用の同期バーストを送信する無線基地システム、そのような同期バーストの送信制御方法および送信制御プログラムに関する。
背景技術
近年、急速に発達しつつある移動通信システム（たとえば、Ｐｅｒｓｏｎａｌ  Ｈａｎｄｙｐｈｏｎｅ  Ｓｙｓｔｅｍ：以下、ＰＨＳ）において、周波数の有効利用を図るべく種々の伝送チャネル割当制御方法が提案されており、その一部のものは実用化されている。
特に、最近では、携帯型電話機の急速な普及により、電波の周波数利用効率を高める必要性が著しく増大し、これに対処すべくＰＤＭＡ方式が提案されている。このＰＤＭＡ方式は、同じ周波数における１つのタイムスロットを空間的に分割して複数のユーザのデータを伝送するものである。
このＰＤＭＡ方式では、アダプティブアレイなどの相互干渉除去装置を用いて１つのタイムスロットを空間的に複数のチャネルに分割して、互いに干渉の小さい複数のユーザの当該タイムスロットへのパス多重接続を許容している。
より具体的に、このＰＤＭＡ方式では、基地局（Ｃｅｌｌ  Ｓｔａｔｉｏｎ：、以下、ＣＳ）は、同一周波数および同一タイムスロットのチャネルにパス多重接続された複数のユーザの移動端末装置（Ｐｅｒｓｏｎａｌ  Ｓｔａｔｉｏｎ：以下、ＰＳ）からの複数系統の信号電波を周知のアダプティブアレイ処理により互いに分離して抽出する。
図９は、ＰＤＭＡ方式におけるＣＳとＰＳとのパス多重接続状態を模式的に示した図である。図９を参照して、ＣＳ１００には、たとえば当初３台のＰＳ、すなユーザＡのＰＳ１０、ユーザＢのＰＳ２０、およびユーザＣのＰＳ３０がパス多重接続されていたものとする。
ここで、ユーザＡの圏外への移動や干渉などによる伝送路の劣化など、何らかの原因により、矢印（Ｘ）で示すようにＰＳ１０の接続先のＣＳ１００との接続が切断された場合、当該ＰＳ１０は、矢印（Ｙ）の破線で示すように別のＣＳ２００との接続を確立しようとする（いわゆるハンドオーバ）。
一方、当該ＰＳ１０からの電波を受信できなくなった元の接続先のＣＳ１００は矢印（Ｚ）で模式的に示すように、当該ＰＳ１０との接続を再確立するための同期バースト、すなわち切り戻り用の同期バーストを数十秒という期間にわたって、所定レベルで送信する。
ＰＳ１０が、何らかの原因でＣＳ２００との接続を確立できなかった場合、ＰＳ１０は接続先をＣＳ１００に戻そうとする。上述の切り戻り用の同期バーストはこの際の目印となる同期バーストであり、ＰＳ１０はこの切り戻り用の同期バースト（Ｚ）を認識することができればＣＳ１００との同期を再確立し、さらに所定のシーケンスを介してＣＳ１００との通話チャネルを再確立する。一方、ＰＳ１０がこの切り戻り用の同期バースト（Ｚ）を認識できなかった場合には、ＣＳ１００との同期を再確立することができず、ＰＳ１０はいずれのＣＳとも接続できなくなり、通話チャネルが切断されてしまうことになる。
ここで、一般に、ＣＳとＰＳとの接続が確立されている場合には、周知のアダプティブアレイ処理によりＣＳからＰＳに対して送信指向性を伴って電波が送信され、この電波が当該ＣＳに多重接続中の他のＰＳに干渉を及ぼすことはない。しかしながら、図９の例で説明したように、たとえばＰＳ１０がＣＳ２００へのハンドオーバによりＣＳ１００と切断されている期間中（数秒から数十秒の期間）は、ＣＳ１００はＰＳ１０から信号電波を受信していないため、ＰＳ１０への送信指向性を失っている。すなわち、ＰＳ１０への送信指向性なしに、ＣＳ１００から数十秒にわたって所定レベルで送信されている切り戻り用の同期バーストは、ＣＳ１００にパス多重接続している他のユーザＢおよびＣのそれぞれのＰＳ２０およびＰＳ３０にとっては、単なる妨害波（干渉波）にすぎない。
したがって、ＣＳからの長期間にわたる切り戻り用の同期バーストの指向性を伴わない送信は、当該ＣＳに接続している他のＰＳの電波に悪影響を与えるという問題点があった。
それゆえに、この発明の目的は、切り戻り用の同期バーストが当該ＣＳに多重接続している他のＰＳへ与える影響を軽減するとともに、ハンドオーバに失敗したＰＳが当該ＣＳに容易に再接続することができるようにした無線基地システム、そのような同期バーストの送信制御方法および送信制御プログラムを提供することである。
発明の開示
この発明によれば、空間的に分割された複数のチャネルを介してパス多重接続している複数の移動端末装置との間で信号を送受信する無線基地システムは、同期バースト送信手段と、同期バースト送信レベル設定手段とを備えている。同期バースト送信手段は、複数の移動端末装置のいずれかとのパス多重接続が切断されたときに当該切断されたチャネルを介して信号フレームごとに切り戻り用同期バーストを送信する。同期バースト送信レベル設定手段は、第１の複数の連続するフレームにおいて切り戻り用同期バーストの送信レベルを相対的に大きなレベルに設定し、第２の複数の連続するフレームにおいて切り戻り用同期バーストの送信レベルを相対的に小さなレベルに設定し、第１の複数の連続するフレームおよび第２の複数の連続するフレームからなるフレーム周期で送信レベルの設定を周期的に繰返す。
好ましくは、同期バースト送信手段は、パス多重接続が切断された移動端末装置が複数存在するとき、フレーム周期で送信レベルが設定された切り戻り用同期バーストをそれぞれの移動端末装置ごとに時分割的に送信する。
より好ましくは、相対的に小さなレベルは０レベルである。
より好ましくは、無線基地システムは、同期バースト送信手段が切り戻り用同期バーストを送信している期間中、複数の移動端末装置の他の移動端末装置に対する送信レベルを低下させる送信レベル変更手段をさらに備える。
この発明の他の局面に従うと、空間的に分割された複数のチャネルを介してパス多重接続している複数の移動端末装置との間で信号を送受信する無線基地システムにおける同期バースト送信制御方法は、複数の移動端末装置のいずれかとのパス多重接続が切断されたときに当該切断されたチャネルを介して信号フレームごとに切り戻り用同期バーストを送信するステップと、第１の複数の連続するフレームにおいて切り戻り用同期バーストの送信レベルを相対的に大きなレベルに設定し、第２の複数の連続するフレームにおいて切り戻り用同期バーストの送信レベルを相対的に小さなレベルに設定し、第１の複数の連続するフレームおよび第２の複数の連続するフレームからなるフレーム周期で送信レベルの設定を周期的に繰返すステップとを備える。
好ましくは、同期バーストを送信するステップは、パス多重接続が切断された移動端末装置が複数存在するとき、フレーム周期で送信レベルが設定された切り戻り用同期バーストをそれぞれの移動端末装置ごとに時分割的に送信する。
より好ましくは、相対的に小さなレベルは０レベルである。
より好ましくは、同期バースト送信制御方法は、切り戻り用同期バーストを送信している期間中、複数の移動端末装置の他の移動端末装置に対する送信レベルを低下させるステップをさらに備える。
この発明のさらに他の局面によれば、空間的に分割された複数のチャネルを介してパス多重接続している複数の移動端末装置との間で信号を送受信する無線基地システムにおける同期バースト送信制御プログラムは、コンピュータに、複数の移動端末装置のいずれかとのパス多重接続が切断されたときに当該切断されたチャネルを介して信号フレームごとに切り戻り用同期バーストを送信するステップと、第１の複数の連続するフレームにおいて切り戻り用同期バーストの送信レベルを相対的に大きなレベルに設定し、第２の複数の連続するフレームにおいて切り戻り用同期バーストの送信レベルを相対的に小さなレベルに設定し、第１の複数の連続するフレームおよび第２の複数の連続するフレームからなるフレーム周期で送信レベルの設定を周期的に繰返すステップとを実行させる。
好ましくは、同期バーストを送信するステップは、パス多重接続が切断された移動端末装置が複数存在するとき、フレーム周期で送信レベルが設定された切り戻り用同期バーストをそれぞれの移動端末装置ごとに時分割的に送信する。
より好ましくは、相対的に小さなレベルは０レベルである。
より好ましくは、同期バースト送信制御プログラムは、コンピュータに、切り戻り用同期バーストを送信している期間中、複数の移動端末装置の他の移動端末装置に対する送信レベルを低下させるステップをさらに実行させる。
したがって、この発明によれば、切り戻り用同期バーストを一定の送信レベルで連続的に送信するのではなく、送信レベルの大きな期間と送信レベルが小さな（または０レベルの）期間とを交互に設け、一定周期で繰返し送信することにより、当該無線基地局（ＣＳ）に接続している他の移動端末装置（ＰＳ）への切り戻り用同期バーストの影響を軽減することができる。
また、この発明では、切り戻り用同期バーストを送信している期間中、当該無線基地局にパス多重接続している他の移動端末装置に対する送信レベルを低下させるので、他の移動端末装置に対する送信電波が切り戻り用同期バーストに対する妨害波となることを防止することができる。
発明を実施するための最良の形態
以下、この発明の実施の形態を図面を参照して詳しく説明する。なお、図中同一または相当部分には同一符号を付してその説明は繰返さない。
図１は、ＰＤＭＡ方式の通信システムにおける上り（ＰＳ→ＣＳ）回線および下り（ＣＳ→ＰＳ）回線の送信スロットの構成を模式的に示す図である。
図１において、上り回線および下り回線はそれぞれ時系列的に交互に４スロット単位でデータを送信しており、上り回線および下り回線のいずれも同じフォーマットを有している。
すなわち、任意の１スロット（ここでは先頭のスロットとする）には、制御チャネル（Ｃｏｎｔｒｏｌ  Ｃｈａｎｎｅｌ：以下、ＣＣＨ）信号が割当てられている。次の周波数ｆ１のスロット２には、ユーザ１およびユーザ４がパス多重接続されており、周波数ｆ２のスロット３にはユーザ２および５がパス多重接続されており、最後の周波数ｆ３のスロット４にはユーザ３および６がパス多重接続されている。
図１のＣＳの各タイムスロットに接続される各ユーザのＰＳと、当該ＣＳとの間で伝送されるユーザごとの信号のフォーマットは、たとえばＰＨＳの規格では、図２Ａおよび図２Ｂに示すとおりである。
すなわち、ＣＳと、そこに接続される各ＰＳとの間の通話チャネルが、上り／下りの各回線とも、図２Ａに示す物理スロット構成を有する共通双方向制御チャネル（Ｓｉｇｎａｌｉｎｇ  Ｃｏｎｔｒｏｌ  Ｃｈａｎｎｅｌ：以下、ＳＣＣＨ）と、図２Ｂに示す物理スロット構成を有する情報チャネル（Ｔｒａｆｆｉｃ  Ｃｈａｎｎｅｌ：以下、ＴＣＨ）とから構成される。
より特定的に、ＳＣＣＨは、４ビットのＲ（過渡応答用ランプタイム）と、２ビットのＳＳ（スタートシンボル）と、６２ビットのＰＲ（プリアンブル）と、３２ビットのＵＷ（同期ワード）と、４ビットのＣＩ（チャネル種別）と、４２ビットのＣＳＩＤ（ＣＳ識別符号）と、２８ビットのＰＳＩＤ（ＰＳ識別符号）と、３４ビットのＩ（上り／下りアイドルビット）と、１６ビットのＣＲＣ（冗長巡回検査）と、１６ビットのＧ（ガードビット）とから構成される。
このうち、ＣＩ（４ビット）と、ＣＳＩＤ（４２ビット）と、ＰＳＩＤ（２８ビット）と、Ｉ（３４ビット）と、ＣＲＣ（１６ビット）とが、上り／下りの各回線における同期バーストを構成する。
一方、ＴＣＨは、４ビットのＲと、２ビットのＳＳと、６ビットのＰＲと、１６ビットのＵＷと、４ビットのＣＩと、１６ビットのＳＳと、１６０ビットのＩと、１６ビットのＣＲＣと、１６ビットのＧとから構成される。
図２Ａに示すＳＣＣＨは、図２Ｂに示すＴＣＨを起動して情報チャネルを確立するために用いられる。
なお、図１に示す合計８スロットで伝送信号の１フレームを構成するものとする。各スロットの時間幅は６２５マイクロ秒であり、したがって１フレームの時間幅は５ミリ秒となる。
次に、図３は、この発明の実施の形態によるＰＤＭＡ方式のＣＳの構成を示す機能ブロック図である。
図２Ａおよび図２Ｂに関連して説明したように、ＣＳとＰＳとの間で送受信される信号電波は、呼接続に必要な情報を伝送する制御チャネルＳＣＣＨと、通信に使用する情報チャネルＴＣＨとから構成される。
図３を参照して、図示しない複数のアンテナで構成されるアレイアンテナ１で受信された図示しない複数のＰＳからの複数系統の受信信号電波は、受信ＲＦアンプ２において、増幅、周波数変換などの所定の受信処理が施された後、復調器３によってデジタル復調信号に変換され、受信データ処理用デジタルシグナルプロセッサ（ＤＳＰ）４に与えられる。
ＤＳＰ４において、デジタル復調信号に対し、周知のアダプティブアレイ処理を含む各種の処理がソフトウェア的に施され、それぞれのユーザごとに算出されたウエイトベクトルによりそれぞれのユーザの受信信号が分離抽出される。分離抽出されたそれぞれのユーザからの受信信号は、公衆回線インターフェイスＩ／Ｆ５を介して公衆回線６に接続される。
一方、公衆回線６からの送信信号は、公衆回線Ｉ／Ｆ５を介して送信データ作成用ＤＳＰ７に与えられる。また、受信データ処理用ＤＳＰ４により算出されたそれぞれのユーザのウエイトベクトルが送信データ作成用ＤＳＰ７に与えられ、それぞれのユーザの送信指向性が決定される。
送信データ作成用ＤＳＰ７で作成されたデジタル送信データは、変調器８でアナログ送信信号に変調され、送信ＲＦアンプ９に与えられる。送信ＲＦアンプ９は、複数系統の送信信号に送信処理を施し、アレイアンテナ１を介して対応するユーザのＰＳに、送信指向性を伴って送信する。
次に、図４は、この発明の原理を説明するためのタイミング図であり、図５ないし図８は、図３に示したこの発明の実施の形態によるＣＳの切り戻り用同期バーストの送信に関する制御を示すフロー図である。
先に説明したように、従来のＣＳでは、ＰＳが当該ＣＳの圏外に出たことによりまたは伝送路の干渉などにより、他のＣＳに接続先を切換えようとすると、当該ＣＳは、そのＰＳとそれまで通信中であったチャネルにおいて下り（ＣＳ→ＰＳ）の切り戻り用同期バーストを所定時間にわたって所定レベルで送信していたが、これが当該ＣＳに接続している他のＰＳに対しては妨害波（干渉波）の役目を果たしていた。
そこで、この発明の実施の形態によるＣＳでは、切り戻り用の同期バーストを所定期間にわたって連続して同一レベルで送信するのではなく、送信レベルにある周期で強弱を付けることにより、切り戻り用同期バーストの他のＰＳに対する影響を低減しようとするものである。
一例として、図４ないし図７を参照して以下に説明する実施の形態の制御例では、図４に示すように、２４０フレーム（１フレームが５ミリ秒なので２４０フレームでは１．２秒）を周期とし、そのうちの最初の連続する８フレームについては、下りの同期バーストを相対的に大きなレベルで送信し、残りの連続する２３２フレームについては下りの同期バーストを相対的に小さなレベルで送信する。なお、この相対的に小さなレベルを０レベルに設定すれば、最初の８フレームのみ同期バーストが送信され、残りの２３２フレームでは同期バーストが送信されない間欠動作が実現されることになる。
図４に示すように、このような送信レベルの強弱を２４０フレーム周期で与えることにより、数十秒にわたって連続するフレームで下り同期バーストを同一送信レベルで切り戻り用同期バーストとして送信する従来例に比べて、他のＰＳに対する切り戻り用同期バーストの影響が軽減される。
このような同期バーストの送信制御は、図３に示したＣＳの送信データ作成用ＤＳＰ７によりソフトウェアで実現される。
次に、図５ないし図７を参照して、送信データ作成用ＤＳＰ７による切り戻り用同期バーストの送信制御についてより詳細に説明する。
図５はまず、図４のＣＳが、あるユーザのＰＳが何らかの原因で他のＣＳへ切換わりいったこと（ＴＣＨ切換）を検出して、切り戻り用同期バーストの送信を開始するまでの制御を説明するフロー図である。
図５を参照して、ステップＳ１において、制御が開始されると、ステップＳ２において、あるユーザのＰＳが他のＣＳへ切換わること、すなわちＴＣＨチャネルを切換えることを要求するＴＣＨ切換要求をＣＳが受信したか否かが判断される。ＣＳが受信したものと判断されると、ステップＳ５へ進み、ＣＳは、ＴＣＨ切換指示を当該ＰＳへ送信する。
一方、ステップＳ２において、ＴＣＨ切換要求を受信していないと判断すると、ステップＳ３へ進み、ＣＳは、ＴＣＨ切換条件が満たされているか否かを判断する。そして、ＴＣＨ切換条件が満たされていると判断されると、ステップＳ５へ進み、ＣＳはＴＣＨ切換指示を当該ＰＳへ送信する。ステップＳ３において、ＴＣＨ切換条件が満たされていないと判断されると、ステップＳ４で処理は終了する。
ステップＳ５でＴＣＨ切換指示が送信されると、ステップＳ６に進み、切換待ちタイマが０に初期化される。そして、ステップＳ７で切換待ちタイマのカウントをモニタしながらステップＳ９で当該ＰＳが実際にＴＣＨ切換を実行したか否かを判断する。
そして、未だＴＣＨ切換を実行していないことが判断されると、ステップＳ１１においてタイマの値を加算しながら、さらに上述のステップＳ７およびＳ９を繰返す。その間に、ステップＳ９において、ＰＳがＴＣＨ切換を実行したことが判断されると、ステップＳ１０に進み、切り戻り用同期バーストの送信を開始する。切り戻り用同期バーストの送信レベル制御については後述する。そしてステップＳ１２で処理を終了する。
一方、上述のステップＳ７、Ｓ９、およびＳ１１を繰返した結果、ステップＳ７において、切換待ちタイマのカウント値が所定値に達しタイムアウトと判定されると、ＰＳが実際にＴＣＨ切換を実行しなかったものと判断して、切り戻り用同期バーストを送信することなく、ステップＳ８で処理を終了する。
次に、図６は、図５のステップＳ１０において切り戻り用同期バーストの送信開始が指示された後、ＣＳが、図４に示すように切り戻り用同期バーストの送信レベルを２４０フレーム周期で制御する処理を示すフロー図である。
図６を参照して、ステップＳ２１において制御が開始されると、ステップＳ２２において、当該フレームで切り戻り用同期バーストの送信が指示されているか否かが判断される。送信が指示されていなければ、ステップＳ２３において、フレーム数をカウントするフレームカウンタを０に初期化して、ステップＳ２４において処理を終了する。
一方、送信が指示されていれば、ステップＳ２５において、当該フレームに対応してフレームカウンタに１が加算される。そして、ステップＳ２６において、当該フレームにおいてフレームカウンタの値が２４０フレーム以上か否かが判断され、以上であると判断されると、ステップＳ２７でフレームカウンタを０に初期化する。
そしてステップＳ２８に進み、フレームカウンタの値が８フレーム以上か否かが判断される。当該フレームで、ステップＳ２７においてフレームカウンタは０に初期化されたところなので、フレームカウンタの値は８フレーム以上ではなく、したがってステップＳ２９に進み当該フレームにおいて相対的に大きな送信レベルで同期バーストが送信される。そして、ステップＳ３１で当該フレームの処理を終了する。
フレームごとに図６の処理が繰返され、ステップＳ２８でフレームカウンタの値が８に達するまで、図４に示すように連続８フレーム（フレームカウンタ値０〜７）にわたって、ステップＳ２９において同期バーストが相対的に大きな送信レベルで送信される。
その後、あるフレームにおいて、ステップＳ２８でフレームカウンタの値が８以上になったことが判断されると、ステップＳ３０に進み、当該フレームにおいて相対的に小さな送信レベル（または０レベル）で同期バーストが送信される。そしてステップＳ３１で当該フレームの処理を終了する。
さらに、フレームごとに図６の処理が継続され、ステップＳ２６でフレームカウンタの値が２４０に達するまで、図４に示すように連続２３２フレーム（フレームカウンタ値８〜２３１）にわたってステップＳ３０において同期バーストが相対的に小さい送信レベルで送信される。
その後、あるフレームにおいて、ステップＳ２６でフレームカウンタの値が２４０以上になったことが判断されると、再度ステップＳ２７でフレームカウンタを０に初期化する。そして、ステップＳ２８でフレームカウンタの値が８に達するまで、図４に示すように、さらに連続８フレームにわたって、ステップＳ２９において同期バーストが相対的に小さい送信レベル（または０レベル）で送信される。
以上のように、図６に示す同期バースト送信制御によれば、図４のタイミング図に示すように、切り戻り用同期バーストの送信レベルを一定のフレーム周期で、大きな期間と小さな期間（または０の期間）とに分けているので、当該ＣＳに接続している他のＰＳに対する切り戻り用同期バーストの干渉波としての影響を低減することができる。
一方、当該ＣＳに接続している他のＰＳに対する送信電波もまた、上記の切り戻り用同期バーストから見れば妨害波となる。したがって、切断されたＰＳが切り戻り用バーストを認識して当該ＣＳとの再接続を確立しやすくするため、切り戻り用同期バースト送信期間中には、他のＰＳに対する送信レベルを低下させてやる必要がある。
図７は、このように切り戻り用同期バーストの送信時に他のＰＳへの送信レベルを制御するＤＳＰ７の送信制御処理を示すフロー図である。
図７を参照して、ステップＳ４１において処理が開始されると、ステップＳ４２において、同一スロットにパス多重している残りのユーザのうち、同期バースト送信レベルが大きなユーザが存在するか否かが判断される。
そのようなユーザがいなければステップＳ４５で処理は終了する。一方、ステップＳ４２において、送信レベルの大きなユーザの存在が判断されれば、ステップＳ４３においてその送信レベルを下げる処理を行ない、ステップＳ４５で処理を終了する。
このように、パス多重接続中の他ユーザへの送信レベルが、切り戻り用同期バーストに干渉波として悪影響を与えることが防止され、切断されているＰＳの当該ＣＳへの再接続が容易になる。
なお、図６に示す同期バースト送信制御は、図１に関連して説明したように、各スロットにおけるユーザ多重数が２で、そのうちの１ユーザについて切り戻り用同期バーストの送信制御を行なう場合であった。しかし、たとえば各スロットに３以上のユーザが多重しており、しかもそのうちの２以上のユーザについて同時に切り戻り用同期バーストの送信を行なっている場合には、その送信周期が重なり合う場合がある。送信指向性を伴わない２以上の切り戻り用同期バーストの送信周期が重なり合うと、対応するＰＳがこの切り戻り用同期バーストを正確に認識してＣＳとの再接続を確立することが困難になる。
図８は、このような多重状態における切り戻り用同期バーストの送信レベルを制御する処理を示すフロー図である。図６の処理では、処理の１周期である２４０フレームをカウントするフレームカウンタと、送信レベルを大きくする期間である８フレームをカウントするフレームカウンタとを用いていたが、図８の例では、フレームカウンタを１つとして、各ユーザが送信レベル大で送信する期間を順次規定している。
たとえば、４多重のそれぞれのユーザについて切り戻り用同期バーストを送信する場合、１周期である２４０フレームのうち、ユーザ番号０については、フレーム０〜７の期間において送信レベルを大とし、フレーム８〜２３９の期間において送信レベルを小とする。次に、ユーザ番号１については、フレーム６０〜６７の期間において送信レベルを大とし、フレーム０〜５９および６８〜２３９の期間において送信レベルを小とする。次に、ユーザ番号２については、フレーム１２０〜１２７の期間において送信レベルを大とし、フレーム０〜１１９および１２８〜２３９の期間において送信レベルを小とする。次に、ユーザ番号３については、フレーム１８０〜１８７の期間において送信レベルを大とし、フレーム０〜１７９および１８８〜２３９の期間において送信レベルを小とする。
図８を参照して処理を具体的に説明する。ステップＳ５１で制御が開始されると、ステップＳ５２で、当該フレームで切り戻り用同期バーストの送信が指示されているか否かが判断される。送信が指示されていなければ、ステップＳ５７においてフレームカウンタに１を加算して、ステップＳ５８において処理を終了する。
一方、送信が指示されていれば、ステップＳ５３において、１周期のフレーム数である２４０を多重ユーザ数で除算したフレーム数にユーザ番号を乗算したものをｔｍｐと置く。
たとえば、上述の４多重の場合、ユーザ番号０のｔｍｐは０であり、ユーザ番号１のｔｍｐは６０であり、ユーザ番号２のｔｍｐは１２０であり、ユーザ番号３のｔｍｐは１８０である。
たとえば、ユーザ番号０のとき、ステップＳ５４においてフレームカウンタの値が、ｔｍｐ＝０以上でありかつｔｍｐ＋８＝８未満であるかが判定される。ユーザ番号０については、上述のようにこのフレーム期間においては送信レベルを大に設定するので、ステップＳ５５に進み、相対的に大きな送信レベルでユーザ番号０についての切り戻り用同期バーストを送信する。
一方、フレームカウンタの値が上記の範囲になければ、ステップＳ５６に進み、相対的に小さな送信レベルでユーザ番号０についての切り戻り用同期バーストを送信する。
ステップＳ５５または５６での同期バーストの送信後、ステップＳ５７においてフレームカウンタに１を加算して、ステップＳ５８において処理を終了する。
次に、ユーザ番号１のときには、ステップＳ５４においてフレームカウンタの値が、ｔｍｐ＝６０以上でありかつｔｍｐ＋８＝６８未満であるかが判定される。ユーザ番号１については、上述のようにこのフレーム期間においては送信レベルを大に設定するので、ステップＳ５５に進み、相対的に大きな送信レベルでユーザ番号１についての切り戻り用同期バーストを送信する。
一方、フレームカウンタの値が上記の範囲になければ、ステップＳ５６に進み、相対的に小さな送信レベルでユーザ番号１についての切り戻り用同期バーストを送信する。
次に、ユーザ番号２のときには、ステップＳ５４においてフレームカウンタの値が、ｔｍｐ＝１２０以上でありかつｔｍｐ＋８＝１２８未満であるかが判定される。ユーザ番号２については、上述のようにこのフレーム期間においては送信レベルを大に設定するので、ステップＳ５５に進み、相対的に大きな送信レベルでユーザ番号２についての切り戻り用同期バーストを送信する。
一方、フレームカウンタの値が上記の範囲になければ、ステップＳ５６に進み、相対的に小さな送信レベルでユーザ番号２についての切り戻り用同期バーストを送信する。
次に、ユーザ番号３のときには、ステップＳ５４においてフレームカウンタの値が、ｔｍｐ＝１８０以上でありかつｔｍｐ＋８＝１８８未満であるかが判定される。ユーザ番号３については、上述のようにこのフレーム期間においては送信レベルを大に設定するので、ステップＳ５５に進み、相対的に大きな送信レベルでユーザ番号３についての切り戻り用同期バーストを送信する。
一方、フレームカウンタの値が上記の範囲になければ、ステップＳ５６に進み、相対的に小さな送信レベルでユーザ番号３についての切り戻り用同期バーストを送信する。
なお、当該ＣＳに接続中のＰＳについては、前述の図７の制御が実行される。
以上のように、図８に示した送信制御では、多重接続ユーザのうちの４ユーザについて切り戻り用同期バーストを送信する場合、各ユーザごとに見れば図６の例と同じ２４０フレーム周期の送信レベルの大小制御（８フレームで送信レベル大、２３２フレームで送信レベル小）を、他のユーザと６０フレームずつずらしながら順次時分割的に実行することにより、同期バーストの送信周期がユーザ同士で重なり合うことを防止することができ、切断されているＰＳのＣＳへの再接続が容易になる。
以上のように、この発明によれば、切り戻り用同期バーストの送信レベルを、送信レベルの大きな期間と送信レベルの小さな期間とを一定周期で交互に設けることにより、当該無線基地局（ＣＳ）にパス多重している他の移動端末装置（ＰＳ）に切り戻り用同期バーストが干渉波として影響することを低減させることができる。
また、この発明では、切り戻り用同期バーストの送信期間中は、当該ＣＳにパス多重接続している他のＰＳへの送信レベルを下げるように制御することにより、切断されているＰＳの当該ＣＳへの再接続の確立を容易にしている。
産業上の利用可能性
この発明によれば、無線基地局にパス多重接続している他の移動端末装置に切り戻り用同期バーストが干渉波として影響しないので、空間的に分割された複数のチャネルを介してパス多重接続している複数の移動端末装置との間で信号を送受信する無線基地システムにおいて有効である。
【図面の簡単な説明】
図１は、ＰＤＭＡ方式の通信システムにおける送信スロットの構成を模式的に示す図である。
図２Ａおよび図２Ｂは、ＰＳとＣＳとの間で伝送される信号フォーマットを示す図である。
図３は、この発明の実施の形態によるＰＤＭＡ方式のＣＳの構成を示す機能ブロック図である。
図４は、この発明の原理を説明するためのタイミング図である。
図５は、切り戻り用同期バーストの送信を開始するまでの処理を説明するフロー図である。
図６は、切り戻り用同期バーストの送信レベルを制御する処理を示すフロー図である。
図７は、ＣＳに接続されている他のＰＳに対する送信レベル制御を示すフロー図である。
図８は、切り戻り用同期バーストの送信レベルを制御する処理の他の例を示すフロー図である。
図９は、ＰＤＭＡ方式におけるＣＳとＰＳとのパス多重接続状態を模式的に示す図である。
【図１】
0003819844.tif 000002
【図２Ａ】
0003819844.tif 000003
【図２Ｂ】
0003819844.tif 000004
【図３】
0003819844.tif 000005
【図４】
0003819844.tif 000006
【図５】
0003819844.tif 000007
【図６】
0003819844.tif 000008
【図７】
0003819844.tif 000009
【図８】
0003819844.tif 000010
【図９】
0003819844.tif 000011